(57)【要約】【課題】電子機器の電源が意に反して投入されることによって、電源の蓄電エネルギーが消耗してしまうことを抑制可能な電子機器を提供する。【解決手段】電子機器の一例としての電子体温計１００は、被切断部４４が設けられた本体部５０と、本体部５０に設けられる電子部品と、上記電子部品に接続され、被切断部４４内を通過するように配置される回路パターンと、上記電子部品を駆動するための駆動電力を上記電子部品に供給する電源部と、上記電子部品への駆動電力の供給および切断を切り替えるために操作される電源スイッチ３７とを備える。被切断部４４が切断されていない状態では、上記駆動電力は上記電子部品に供給されず、被切断部４４が切断されることによって、上記回路パターンの一部が切断されるとともに、電源スイッチ３７は、上記電子部品への上記駆動電力の供給および切断を切り替えることが可能となる。【選択図】図１
2012163355.tif 000002
【特許請求の範囲】
【請求項１】
被切断部が設けられた本体部と、
前記本体部に設けられる電子部品と、
前記電子部品に接続され、前記被切断部内を通過するように配置される回路パターンと、
前記電子部品を駆動するための駆動電力を前記電子部品に供給する電源部と、
前記電子部品への前記駆動電力の供給および切断を切り替えるために操作される電源スイッチと、を備え、
前記被切断部が切断されていない状態では、前記駆動電力は前記電子部品に供給されず、
前記被切断部が切断されることによって、前記回路パターンの一部が切断されるとともに、前記電源スイッチは、前記電子部品への前記駆動電力の供給および切断を切り替えることが可能となる、
電子機器。
【請求項２】
前記被切断部が切断された状態では、前記被切断部は前記本体部から切り離される、
請求項１に記載の電子機器。
【請求項３】
前記被切断部は、前記本体部を枠状に取り囲むように形成される、
請求項１または２に記載の電子機器。
【請求項４】
前記本体部は、前記本体部の外縁から前記本体部の内側に向かって凹む凹部を有し、
前記被切断部は、前記凹部内において前記本体部と接続されている、
請求項２または３に記載の電子機器。
【請求項５】
前記被切断部が前記本体部に対して折り曲げられることによって、前記回路パターンの前記一部は切断される、
請求項１に記載の電子機器。
【請求項６】
前記被切断部に切り込みが入れられることによって、前記回路パターンの前記一部は切断される、
請求項１に記載の電子機器。
【請求項７】
請求項１から６のいずれかに記載の前記電子機器から構成され、被測定者の体温を測定する、
電子体温計。
【請求項８】
前記本体部は、
当該電子体温計の長手方向に沿って延在する底面部、および、前記底面部の周縁から起立する環状壁部を有するケース体と、
外周部が前記環状壁部の起立方向の先端に接合されるシート状部材と、を含む、
請求項７に記載の電子体温計。
【請求項９】
前記本体部は、内部に中空空間を形成し、前記電子部品、前記回路パターン、および前記電源部を前記中空空間内に配置するシート状部材である、
請求項７に記載の電子体温計。
【発明の詳細な説明】
【技術分野】
【０００１】
本発明は、電子機器および電子体温計に関する。
【背景技術】
【０００２】
下記の特許文献１は、電子機器の一例として、電子体温計に関する発明を開示している。電子体温計などの電子機器は、電子部品、電源および電源スイッチなどを備える。電子体温計などの電子機器においては、電源スイッチが操作されることによって、電源から電子部品への駆動電力の供給および切断が切り替えられる。
【０００３】
下記の特許文献２〜４は、ＩＣカード（integrated  circuit  card）に関する発明を開示している。同文献は、当該発明によれば、利用者がＩＣカードの使用状態を外見から判断できると述べている。
【先行技術文献】
【特許文献】
【０００４】
【特許文献１】特開昭６１−２４１６３１号公報
【特許文献２】特開平１０−３０２０３９号公報
【特許文献３】特開平１１−７３４８３号公報
【特許文献４】特開２００３−３１７０６６号公報
【発明の概要】
【発明が解決しようとする課題】
【０００５】
電子機器は、工場等から出荷されてから使用者によって使用が開始されるまでの間、さまざまな振動または衝撃を受ける。電子機器への振動または衝撃によって、意に反して電子機器の電源が投入されることがある。この場合、電源（乾電池またはバッテリーなど）の蓄電エネルギーは消耗する。
【０００６】
また、電子機器の販売店などにおいて、電子機器は、訪問客が手にとったり触れたりすることが可能な状態で陳列される。電子機器の電源は、電源スイッチが操作されることによって意に反して投入されることがある。この場合も、電源の蓄電エネルギーは消耗する。
【０００７】
本発明は、上記のような実情に鑑みて為されたものであって、電子機器の電源が意に反して投入されることによって、電源の蓄電エネルギーが消耗してしまうことを抑制可能な電子機器および電子体温計を提供することを目的とする。
【課題を解決するための手段】
【０００８】
本発明に基づく電子機器は、被切断部が設けられた本体部と、上記本体部に設けられる電子部品と、上記電子部品に接続され、上記被切断部内を通過するように配置される回路パターンと、上記電子部品を駆動するための駆動電力を上記電子部品に供給する電源部と、上記電子部品への上記駆動電力の供給および切断を切り替えるために操作される電源スイッチと、を備え、上記被切断部が切断されていない状態では、上記駆動電力は上記電子部品に供給されず、上記被切断部が切断されることによって、上記回路パターンの一部が切断されるとともに、上記電源スイッチは、上記電子部品への上記駆動電力の供給および切断を切り替えることが可能となる。
【０００９】
好ましくは、上記被切断部が切断された状態では、上記被切断部は上記本体部から切り離される。
【００１０】
好ましくは、上記被切断部は、上記本体部を枠状に取り囲むように形成される。
好ましくは、上記本体部は、上記本体部の外縁から上記本体部の内側に向かって凹む凹部を有し、上記被切断部は、上記凹部内において上記本体部と接続されている。
【００１１】
好ましくは、上記被切断部が上記本体部に対して折り曲げられることによって、上記回路パターンの上記一部は切断される。
【００１２】
好ましくは、上記被切断部に切り込みが入れられることによって、上記回路パターンの上記一部は切断される。
【００１３】
本発明に基づく電子体温計は、本発明に基づく上記の電子機器から構成され、被測定者の体温を測定する。
【００１４】
好ましくは、上記本体部は、当該電子体温計の長手方向に沿って延在する底面部、および、上記底面部の周縁から起立する環状壁部を有するケース体と、外周部が上記環状壁部の起立方向の先端に接合されるシート状部材と、を含む。
【００１５】
好ましくは、上記本体部は、内部に中空空間を形成し、上記電子部品、上記回路パターン、および上記電源部を上記中空空間内に配置するシート状部材である。
【発明の効果】
【００１６】
本発明によれば、電子機器の電源が意に反して投入されることによって、電源の蓄電エネルギーが消耗してしまうことを抑制可能な電子機器および電子体温計を得ることができる。
【図面の簡単な説明】
【００１７】
【図１】実施の形態１における電子体温計を示す斜視図である。
【図２】図１中のＩＩ線に囲まれる領域を拡大して示す平面図である。
【図３】図２中のＩＩＩ−ＩＩＩ線に関する矢視断面図である。
【図４】実施の形態１における電子体温計の機能ブロックを示す図である。
【図５】実施の形態１における電子体温計（使用開始前の状態）の回路パターン、制御部、および電源スイッチを含む回路構成を示す図である。
【図６】実施の形態１における電子体温計（使用開始後の状態）を示す断面図である。
【図７】実施の形態１における電子体温計（使用開始後の状態）の回路パターン、制御部、および電源スイッチを含む回路構成を示す図である。
【図８】実施の形態１の第１変形例における電子体温計（使用開始前の状態）を示す平面図である。
【図９】実施の形態１の第１変形例における電子体温計（使用開始後の状態）を示す平面図である。
【図１０】実施の形態１の第２変形例における電子体温計（使用開始前の状態）を示す平面図である。
【図１１】実施の形態１の第３変形例における電子体温計（使用開始前の状態）を示す平面図である。
【図１２】実施の形態２の電子体温計（使用開始前の状態）の分解された状態を示す斜視図である。
【図１３】実施の形態２の電子体温計（使用開始前の状態）の組み立てられた状態を示す斜視図である。
【図１４】実施の形態２の第１変形例における電子体温計のケース体を示す斜視図である。
【図１５】実施の形態２の第２変形例における電子体温計を示す斜視図である。
【図１６】実施の形態３における電子体温計の分解された状態を示す斜視図である。
【図１７】実施の形態３における電子体温計の組み立てられた状態（使用開始前の状態）を示す平面図である。
【図１８】実施の形態３における電子体温計の組み立てられた状態（使用開始後の状態）を示す平面図である。
【図１９】実施の形態３における電子体温計が箱詰めされた状態を示す斜視図である。
【図２０】実施の形態３の第１変形例における電子体温計（使用開始前の状態）を示す平面図である。
【図２１】実施の形態３の第２変形例における電子体温計（使用開始前の状態）を示す平面図である。
【発明を実施するための形態】
【００１８】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成に示す構成を適宜組み合わせて用いることは、当初から予定されていることである。
【００１９】
［実施の形態１］
図１〜図３を参照して、本実施の形態における電子機器の一例として、被測定者の体温を測定する電子体温計１００の構成について説明する。図１は、電子体温計１００を示す斜視図である。図２は、図１中のＩＩ線に囲まれる領域を拡大して示す平面図である。図３は、図２中のＩＩＩ−ＩＩＩ線に関する矢視断面図である。
【００２０】
図１〜図３を参照して、電子体温計１００は、本体部５０、表示パネル３１、電源スイッチ３７、枠体４５、接続部４６，４７、電源部４０（図２，図３参照）、電子部品１８（図２，図３参照）、および回路パターン２６（図２，図３参照）を備える。電源部４０、電子部品１８、および回路パターン２６は、本体部５０の内部に設けられる。詳細は後述されるが、枠体４５および接続部４６，４７によって、被切断部４４が構成される。
【００２１】
本体部５０は、表面側部材５１（図３参照）および裏面側部材５２（図３参照）が相互に接合されることによって構成される。本体部５０の先端には、被測定者の体温測定に使用されるプローブ部８２（図１参照）が設けられる。本体部５０は、プローブ部８２に向かうにつれて周長が徐々に細くなるテーパー状に形成される。プローブ部８２の先端には、熱応答性（熱伝達性）を向上させるためのステンレス製またはアルミ製等のキャップ（図示せず）が設けられていてもよい。
【００２２】
測定結果などを表示する表示パネル３１は、本体部５０の表面において外部から視認可能に設けられる。電源スイッチ３７は、本体部５０の表面において外部から押圧可能に設けられる。本体部５０の周囲を囲うように、環状のリブ５０Ｒ（図２参照）が設けられる。略平板状の枠体４５は、切欠４９を挟んで本体部５０（リブ５０Ｒ）を取り囲むように設けられる。
【００２３】
接続部４６および接続部４７は、本体部５０（リブ５０Ｒ）と枠体４５との間に橋渡し状に設けられる。換言すると、本体部５０と枠体４５とは、いわゆるゲートカット状に形成された接続部４６および接続部４７によって相互に接続される。表面側部材５１（図３参照）、リブ５０Ｒ、接続部４６、接続部４７、および枠体４５は、樹脂などから一体成形によって作製されるとよい。枠体４５の先端側には、吊下用開口部４８（図１参照）が設けられるとよい。吊下用開口部４８を利用して、電子体温計１００は販売店などで容易に陳列されることができる。
【００２４】
図２および図３に示すように、電子部品１８は本体部５０内部の所定の位置に設けられる。電源部４０も、電子部品１８と接続された状態で本体部５０内部の所定の位置に設けられる。電源部４０は、電子部品１８を駆動するための駆動電力を電子部品１８に供給する。詳細は図４を参照して次述されるが、電子部品１８は、感温部１１（図４参照）、制御基板２０（図４参照）、および表示部３０（図４参照）を含む。感温部１１は、プローブ部８２内に配置される。制御基板２０上には、制御部２２（図４参照）、メモリ部２３（図４参照）、報知部２４（図４参照）、操作部３６（図４参照）が実装される。
【００２５】
電子部品１８に接続される回路パターン２６は、裏面側部材５２の内表面に凹設された長溝５２Ｗ（図３参照）内に配設される。図２に示すように、回路パターン２６は、電子部品１８から接続部４６の内部を通過して枠体４５まで到達し、折り返して再び電子部品１８に戻るように略Ｕ字状に配置される。回路パターン２６の一部には、切断対象領域Ｒ１（詳細は後述する）が規定される。切断対象領域Ｒ１における回路パターン２６と電子部品１８側に位置する回路パターン２６とは、ゲートカット状の接続部４６がハサミまたはカッターなどを使用して切断されることによって相互に分離される。
【００２６】
図４は、電子体温計１００の機能ブロックを示す図である。電子体温計１００は、感温部１１、制御部２２、メモリ部２３、報知部２４、表示部３０、操作部３６、および電源部４０を、機能ブロックとして含む。制御部２２、メモリ部２３、報知部２４、および操作部３６は、本体部５０内に配置された制御基板２０上に実装される。上述のとおり、感温部１１、制御基板２０、および表示部３０によって、電子部品１８（図２，図３参照）が構成される。
【００２７】
感温部１１は、プローブ部８２内に配設され、腋下や舌下などの被測定部位に挟み込まれることで被測定者の体温を検出する。操作部３６は、電源スイッチ３７（図１参照）を含み、被測定者（または電子体温計１００の使用者）による操作を受け付けて、この外部からの命令を制御部２２または電源部４０に入力する。制御部２２は、たとえばＣＰＵ（Central Processing Unit）から構成され、電子体温計１００の全体を制御する。
【００２８】
メモリ部２３は、たとえばＲＯＭ（Read-Only Memory）またはＲＡＭ（Random-Access Memory）から構成され、体温測定のための処理手順を制御部２２などに実行させるためのプログラムを記憶したり、測定結果などを記憶したりする。報知部２４は、たとえばブザーから構成され、測定が終了したことや被測定者の操作を受け付けたことなどを被測定者に知らせる。報知部２４は、必要に応じて設けられるとよい。
【００２９】
表示部３０は、たとえばＬＣＤ（Liquid Crystal Display）などの表示パネル３１（図１参照）を含み、測定結果などを表示する。電源部４０は、たとえばボタン電池またはバッテリーなどを含み、制御部２２に電源としての電力を供給する。
【００３０】
制御部２２は、体温測定を実行するための処理回路を含んでおり、メモリ部２３から読み出されたプログラムに基づいて体温を測定する。その際、制御部２２は、感温部１１から入力された温度データを処理することで測定結果としての体温を算出する。制御部２２は、算出した体温を表示部３０に表示させたり、算出した体温をメモリ部２３に記憶させたり、測定が終了したことを、報知部２４を用いて被測定者に知らせたりするように、電子体温計１００を制御する。
【００３１】
ここで、電子体温計１００は、使用開始前の状態および使用開始後の状態を有している。使用開始前の状態においては、電子体温計１００の電源スイッチ３７が操作されたとしても、駆動電力は電源部４０から電子部品１８に十分に供給されず、電子体温計１００は起動しない。電子体温計１００は使用可能な状態とはならない。
【００３２】
一方、使用開始後の状態においては、電子体温計１００の電源スイッチ３７が操作されることによって、電子体温計１００が起動する。電子体温計１００は使用可能な状態となる。電子体温計１００においては、被切断部４４（本実施の形態においては接続部４６）が切断されることによって、使用開始前の状態から使用開始後の状態に変移する。以下、具体的に説明する。
【００３３】
図５は、電子体温計１００における回路パターン２６、制御部２２、および電源スイッチ３７を含む回路構成を示す図である。図５は電子体温計１００の使用開始前の状態を示している。上述のとおり、制御部２２は、電子部品１８（図２，図３参照）の一つである制御基板２０（図４参照）に実装される。制御部２２は、たとえばＣＰＵ（Central Processing Unit）から構成され、ポートＰＡおよびポートＰＢを有する。回路パターン２６は、プルアップ抵抗２７を挟んで電源ＶＣＣ（電源部４０）にプルアップされるとともに、制御部２２のポートＰＡに入力される。電源スイッチ３７は、制御部２２のポートＰＢに入力される。
【００３４】
電子体温計１００の使用開始前の状態において、被測定者等が電源スイッチ３７を入れたとする（電源ＯＮ）。この場合、ポートＰＡを通してＬ（Ｌｏｗ）レベルの電圧が制御部２２に入力されることによって、制御部２２は一旦起動する。制御部２２は、その起動直後にポートＰＡにおける入力レベルを確認する。ポートＰＡにおける入力レベルがＬ（Ｌｏｗ）レベルと判断した制御部２２は、電子体温計１００をすぐさま停止する（電源ＯＦＦ）。
【００３５】
使用開始前の状態においては、被切断部４４（本実施の形態においては接続部４６）が切断されていない。電子体温計１００の電源スイッチ３７が操作されたとしても、制御部２２による上記の制御によって、駆動電力は電源部４０から電子部品１８に供給されない（実際には瞬間的に供給されるが、制御部２２の制御によって電子体温計１００はすぐさま停止する）。電子体温計１００は起動せず、使用可能な状態とはならない。
【００３６】
図６および図７を参照して、被切断部４４（ゲートカット状に形成された接続部４６）（図６参照）がハサミまたはカッターなどによって切断されたとする。この際、ゲートカット状に形成された接続部４７（図１参照）も切断され、本体部５０は被切断部４４（枠体４５）から切り離される。接続部４６の切断に伴って、回路パターン２６から切断対象領域Ｒ１が切り離され、電子体温計１００は使用開始前の状態から使用開始後の状態に変移する。
【００３７】
電子体温計１００の使用開始後の状態において、被測定者等が電源スイッチ３７を入れたとする（電源ＯＮ）。この場合、ポートＰＡを通してＨ（Ｈｉｇｈ）レベルの電圧が制御部２２に入力されることによって、制御部２２は起動する。制御部２２は、起動直後にポートＰＡにおける入力レベルを確認する。ポートＰＡにおける入力レベルがＨ（Ｈｉｇｈ）レベルであると判断した制御部２２は、電子体温計１００を停止させることなく、電子体温計１００としての通常の動作を開始する。
【００３８】
使用開始後の状態においては、被切断部４４（本実施の形態においては接続部４６）が切断されている。電子体温計１００の電源スイッチ３７が操作されることによって、駆動電力は電源部４０から電子部品１８に十分に供給される（電源ＯＮ）。電子体温計１００は起動し、使用可能な状態となる。使用開始後の状態においては、電源スイッチ３７が操作されることによって、電子部品１８への駆動電力の切断も可能となる。当該切断によって、電子体温計１００は停止する（電源ＯＦＦ）。
【００３９】
（作用・効果）
電子体温計１００は、工場等から出荷されてから使用者によって使用が開始されるまでの間、さまざまな振動または衝撃を受ける。電子体温計１００が振動等を受けた場合であっても、電子体温計１００の使用開始前の状態においては、電子体温計１００は起動しない。意に反して電源が投入されたとしても、電子体温計１００はすぐさま停止し、起動することがない。電子体温計１００によれば、電源部４０（乾電池、ボタン電池またはバッテリーなど）における蓄電エネルギーの消耗を抑制することが可能となる。
【００４０】
電子体温計１００の販売店などにおいては、電子体温計１００は、訪問客が手にとったり触れたりすることが可能な状態で陳列される。電子体温計１００の電源スイッチ３７が操作され意に反して電源が投入された場合であっても、電子体温計１００の使用開始前の状態においては、電子体温計１００は起動しない。電子体温計１００によれば、電源部４０（乾電池、ボタン電池またはバッテリーなど）における蓄電エネルギーの消耗を抑制することが可能となる。
【００４１】
上述のとおり、電子体温計１００においては、電子体温計１００の購入者などが、電子体温計１００の使用開始の直前に被切断部４４（接続部４６および接続部４７）をハサミまたはカッターなどで切断する。接続部４６の切断によって、回路パターン２６の切断対象領域Ｒ１が切断されるとともに、電子体温計１００は使用可能な状態となる。電源スイッチ３７の操作によって、電子部品１８への駆動電力の供給および切断を切り替えることが可能となる。
【００４２】
上述の実施の形態１の電子体温計１００おいては、回路パターン２６（図５参照）は、プルアップ抵抗２７を挟んで電源ＶＣＣ（電源部４０）にプルアップされるとともに、制御部２２のポートＰＡに入力される。回路パターン２６は、プルアップ抵抗２７を挟んでＨ（Ｈｉｇｈ）レベルの出力を有する他のポートにプルアップされるとともに、制御部２２のポートＰＡに入力されてもよい。この場合、電源ＶＣＣ（電源部４０）は、別途制御部２２に接続される。当該構成によっても、上述の実施の形態１と同様の作用および効果を得ることができる。
【００４３】
［実施の形態１の変形例］
（第１変形例）
図８は、上述の実施の形態１の第１変形例における電子体温計１０１（使用開始前の状態）を示す平面図である。図８は、上述の実施の形態１における図２に対応している。図９は、上述の実施の形態１の第１変形例における電子体温計１０１（使用開始後の状態）を示す平面図である。
【００４４】
図８に示すように、本体部５０は、リブ５０Ｒの外縁５０ＲＴから本体部５０の内側に向かって凹む凹部４６Ｒを有しているとよい。この場合、被切断部４４としての接続部４６は、凹部４６Ｒ内において本体部５０と接続される。接続部４７（図１参照）についても、接続部４６と同様に構成されるとよい。
【００４５】
図９に示すように、凹部４６Ｒが設けられていることによって、接続部４６は、リブ５０Ｒの外縁５０ＲＴよりも本体部５０側（本体部５０寄り）において切断されることが可能となる。接続部４６の切断後に形成される切断端面４６Ｔは、リブ５０Ｒの外縁５０ＲＴよりも本体部５０側に位置することが可能となる。当該構成によれば、ゲートカット状に形成された接続部４６の切断端面４６Ｔ（残存部）が、衣服などに引っ掛って衣服などに損傷を及ぼしてしまうことなどが抑制される。
【００４６】
（第２変形例）
図１０は、上述の実施の形態１の第２変形例における電子体温計１０２（使用開始前の状態）を示す平面図である。図１０は、上述の実施の形態１における図２に対応している。電子体温計１０２においては、本体部５０周りに、上述の実施の形態１の電子体温計１００における枠体４５（図１参照）が設けられない。回路パターン２６は、電子部品１８からリブ５０Ｒの内部を略Ｓ字状に通過して再び電子部品１８に戻るように配置される。電子体温計１０２においては、リブ５０Ｒのうち、回路パターン２６が配設された部分に被切断部４４が規定される。
【００４７】
電子体温計１０２においては、被切断部４４にハサミまたはカッターなどによって切り込みが入れられる。回路パターン２６の一部が切断されるとともに、電源スイッチ３７（図１参照）の操作によって、電子部品１８への駆動電力の供給および切断を切り替えることが可能となる。電子体温計１０２においては、使用開始前の状態から使用開始後の状態（被切断部４４が切断された状態）に変移した場合であっても、被切断部４４は本体部５０から切り離されることはない。電子体温計１０２においては、被切断部４４を廃棄する必要がなく、利便性が高い。
【００４８】
回路パターン２６は、被切断部４４内において略Ｓ字状に配置される。被切断部４４にハサミまたはカッターなどによって切り込みが入れられた際に、回路パターン２６は（切り込みが入れられる方向に並んだ）複数の部分が物理的に切断される。当該構成によって、回路パターン２６におけるより確実な電気的な切断を得ることが可能となる。
【００４９】
（第３変形例）
図１１は、上述の実施の形態１の第３変形例における電子体温計１０３（使用開始前の状態）を示す平面図である。図１１は、上述の実施の形態１における図２に対応している。電子体温計１０３においては、本体部５０周りに、上述の実施の形態１の電子体温計１００における枠体４５（図１参照）が設けられない。リブ５０Ｒの一部には、切欠４９Ｒの形成によって橋渡し部５０Ｓが設けられる。回路パターン２６は、電子部品１８から橋渡し部５０Ｓの内部を通過して再び電子部品１８に戻るように配置される。電子体温計１０２においては、橋渡し部５０Ｓに被切断部４４が規定される。
【００５０】
電子体温計１０３においては、被切断部４４にハサミまたはカッターなどによって切り込みが入れられる。回路パターン２６の一部が切断されるとともに、電源スイッチ３７（図１参照）の操作によって、電子部品１８への駆動電力の供給および切断を切り替えることが可能となる。電子体温計１０３においては、使用開始前の状態から使用開始後の状態（被切断部４４が切断された状態）に変移した際に、被切断部４４は本体部５０から切り離されることはない。電子体温計１０３においては、被切断部４４を廃棄する必要がなく、利便性が高い。
【００５１】
電子体温計１０３においては、橋渡し部５０Ｓ（被切断部４４）がツメなどによって折り曲げられることにより切断されてもよい。橋渡し部５０Ｓ（被切断部４４）が折り曲げられることによって、回路パターン２６のみが物理的に切断されてもよく、橋渡し部５０Ｓ（被切断部４４）および回路パターン２６の双方が物理的に切断されてもよい。この場合も、使用開始前の状態から使用開始後の状態（被切断部４４が切断された状態）に変移した際に、被切断部４４は本体部５０から切り離されることはない。電子体温計１０３においては、被切断部４４を廃棄する必要がなく、利便性が高い。また、橋渡し部５０Ｓ（被切断部４４）は、ツメなどによって折り曲げられることにより切断される。ハサミまたはカッターなどを別途準備する必要もなく、利便性が高い。
【００５２】
［実施の形態２］
図１２および図１３を参照して、本実施の形態における電子機器の一例として、電子体温計１０４について説明する。図１２は、電子体温計１０４の分解された状態を示す斜視図である。図１３は、電子体温計１０４の組み立てられた状態を示す斜視図である。
【００５３】
図１２に示すように、電子体温計１０４は、サーミスタ１０、制御基板２０、表示部３０、操作部３６、電源部４０、回路パターン２６、および本体部５０Ａを備える。図１３に示すように、電子体温計１０４が組み立てられた状態においては、電子体温計１０４の一端側（先端側）にプローブ部８２が形成される。
【００５４】
図１２を再び参照して、制御基板２０、表示部３０、操作部３６、および電源部４０は、平面視矩形状の基板２９上にそれぞれ実装される。サーミスタ１０、制御基板２０、表示部３０、および基板２９によって、被測定者の体温を測定するための電子部品１８が構成される。
【００５５】
サーミスタ１０は、いわゆるラジアルリード型であり、被測定者の体温を計測する感温部１１と、一端が感温部１１に接続されたリード線１２とを含む。リード線１２の他端は、制御基板２０に接続される。制御基板２０は、所定の位置に、制御部（図４における制御部２２に相当）、メモリ部（図４におけるメモリ部２３に相当）、および報知部（図４における報知部２４に相当）を有する。
【００５６】
表示部３０は、基板２９によって制御基板２０に電気的に接続される。表示部３０は、たとえばＬＣＤ（Liquid Crystal Display）などの表示パネル３１を有する。表示パネル３１に、サーミスタ１０によって測定された被験者の体温などが表示される。表示部３０と並んで基板２９上に配置される操作部３６も、基板２９によって制御基板２０に電気的に接続される。操作部３６は、外部から押圧可能に配置された押しボタン３８を含む。
【００５７】
電源部４０は、ボタン電池４２および対向配置された電極端子４１を有する。対向配置された電極端子４１同士は、樹脂４３によって相互に位置決めされる。電極端子４１も、基板２９によって制御基板２０に接続される。ボタン電池４２は、電極端子４１間に配置され、電極端子４１および基板２９を通して、制御基板２０および制御基板２０に接続された表示部３０に電力を供給する。
【００５８】
電子体温計１０４においては、電子体温計１０４（本体部５０Ａ）の長手方向に沿って、サーミスタ１０、制御基板２０、表示部３０、操作部３６および電源部４０がこの順に並んで配置される。この順序は適宜変更されてもよい。
【００５９】
本体部５０Ａは、シート状部材５１Ａおよびケース体５２Ａを有する。シート状部材５１Ａは、たとえば、紙またはポリエチレンフィルムなどからなる基材層と、基材層の下面側に配置されたシーラント層と、基材層の上面側に配置されたＰＥＴ層（Polyethylene  Terephthalate層）とが積層されることによって構成される。
【００６０】
シート状部材５１Ａの厚さは、たとえば０．１ｍｍ〜０．３ｍｍである。ＰＥＴ層の基材層側の面に、電源スイッチ３７としての銘板が貼付または印刷されることができる。この銘板は、電子体温計１０４が組み立てられた状態において、たとえば押しボタン３８の押下位置を示す目印として機能することができる。
【００６１】
シート状部材５１Ａは、裁断などによって製造されることができる。シート状部材５１Ａは、サーミスタ１０が配置される先端側（プローブ部８２側）に向かって徐々に幅が狭くなるように略テーパー状に構成される。シート状部材５１Ａの後端側には、延在部５１Ｙが設けられる。
【００６２】
シート状部材５１Ａには、表示パネル３１を外部から視認するための開口部５１Ｈが設けられる。開口部５１Ｈ内には、樹脂などから構成される透明保護部材５６が配置される。なお、シート状部材５１Ａが透明性を有する場合、開口部５１Ｈおよび透明保護部材５６は不要である。表示パネル３１を外部から視認するための開口部５１Ｈは、次述するケース体５２Ａに設けられてもよい。この場合、表示部３０は基板２９の裏面側に露出するように設けられ、表示パネル３１はケース体５２Ａ側に向かって配置される。
【００６３】
ケース体５２Ａは、たとえばＰＥＴ、ＰＶＣ（polyvinyl chloride）、ＰＥ（polyethylene）、またはＰＰ（polypropylene）等の熱可塑性を有する部材から、たとえば真空成型によって容器状に構成される。ケース体５２Ａの厚さは、たとえば０．５ｍｍ〜１．０ｍｍである。
【００６４】
ケース体５２Ａは、電子体温計１０４の長手方向に沿って延在する底面部５２Ｓ，５２Ｒ、底面部５２Ｓ，５２Ｒの周縁から起立する環状壁部５２Ｕ、および、環状壁部５２Ｕの起立方向の先端に設けられた上端部５２Ｋを有する。本実施の形態における上端部５２Ｋは、環状壁部５２Ｕの起立方向の先端からケース体５２Ａの外側に向かってフランジ状に延設され、全体として環状を呈している。ケース体５２Ａの後端側には、上端部５２Ｋから突出するように延在部５２Ｙが設けられる。
【００６５】
シート状部材５１Ａに設けられた延在部５１Ｙの形状と、ケース体５２Ａに設けられた延在部５２Ｙの形状とは略同一である。延在部５１Ｙおよび延在部５２Ｙが相互に接合されることによって、被切断部４４（図１３参照）が形成される。
【００６６】
底面部５２Ｓは、電子体温計１０４の一端側（先端側）に位置する。底面部５２Ｒは、底面部５２Ｓに連続し、電子体温計１０４の他端側（後端側）に位置する。電子体温計１０４が被測定者の腋下または舌下等に向かって挿入され易いように、底面部５２Ｓは底面部５２Ｒに比べて底浅に形成されている（底上げされている）。
【００６７】
底面部５２Ｓの略中央には、電子体温計１０４の長手方向に沿って凹部５２Ｔが溝状に設けられる。電子体温計１０４が組み立てられた状態においては、凹部５２Ｔ内に、サーミスタ１０（感温部１１およびリード線１２）が収容される。この場合、リード線１２は凹部５２Ｔの内周面に対して摺動自在であるとよい。
【００６８】
ケース体５２Ａにおける環状壁部５２Ｕおよび上端部５２Ｋは、ケース体５２Ａに対してサーミスタ１０および基板２９が一方向に収容可能なように、サーミスタ１０および基板２９が収容される側に向かって開口を形成している。
【００６９】
回路パターン２６は、制御基板２０から被切断部４４（延在部５１Ｙおよび延在部５２Ｙの間）の内部を通過し、折り返して再び制御基板２０に戻るように略Ｕ字状に配置される。回路パターン２６の一部には、切断対象領域Ｒ１が規定される。切断対象領域Ｒ１における回路パターン２６は、被切断部４４（図１３参照）がハサミなどで切断されることによって、制御基板２０側に接続された回路パターン２６とは分離される。
【００７０】
電子体温計１０４が組み立てられる際には、電子部品１８等がケース体５２Ａ内に収容される。回路パターン２６は、その一部（切断対象領域Ｒ１）が被切断部４４（延在部５１Ｙおよび延在部５２Ｙの間）の内部を通過するように配置される。表示部３０がシート状部材５１Ａに対して接着などの手段によって固定された状態で、電子部品１８等がケース体５２Ａ内に収容されてもよい。この場合、開口部５１Ｈに設けられた透明保護部材５６と表示パネル３１とが対向するように、電子部品１８がシート状部材５１Ａに対して取り付けられる。
【００７１】
また、操作部３６における押しボタン３８とシート状部材５１Ａ（シート状部材５１Ａの電源スイッチ３７）とが対向するように、電子部品１８がシート状部材５１Ａに対して取り付けられる。シート状部材５１Ａに電子部品１８が取り付けられた（貼り付けられた）状態で、シート状部材５１Ａの周縁がケース体５２Ａの上端部５２Ｋに接合される。
【００７２】
当該接合によって、電子部品１８（サーミスタ１０、制御基板２０、表示部３０、および基板２９）と、操作部３６と、電源部４０とが略気密状に封止される。
【００７３】
シート状部材５１Ａと上端部５２Ｋとを相互に接合するためには、シート状部材５１Ａとケース体５２Ａの上端部５２Ｋとが対向するように配置される。この状態で、シート状部材５１Ａと上端部５２Ｋとの接触部に超音波が付与される。付与された超音波により、シート状部材５１Ａ（シーラント層など）が一時的に溶解する。当該溶解によって、シート状部材５１Ａがケース体５２Ａの上端部５２Ｋに溶着（圧着）される。
【００７４】
（作用・効果）
上述の実施の形態１における電子体温計１００と同様に、電子体温計１０４は、工場等から出荷されてから使用者によって使用が開始されるまでの間、さまざまな振動または衝撃を受ける。電子体温計１０４が振動等を受けた場合であっても、電子体温計１０４の使用開始前の状態においては、電子体温計１０４は起動しない。意に反して電源が投入されたとしても、電子体温計１０４はすぐさま停止し、起動することがない。電子体温計１０４によれば、電源部４０（ボタン電池４２など）における蓄電エネルギーの消耗を抑制することが可能となる。
【００７５】
電子体温計１０４の販売店などにおいては、電子体温計１０４は、訪問客が手にとったり触れたりすることが可能な状態で陳列される。電子体温計１０４の電源スイッチ３７が操作され意に反して電源が投入された場合であっても、電子体温計１０４の使用開始前の状態においては、電子体温計１０４は起動しない。電子体温計１０４によれば、電源部４０（ボタン電池４２など）における蓄電エネルギーの消耗を抑制することが可能となる。
【００７６】
電子体温計１０４においては、電子体温計１０４の購入者などが、電子体温計１０４の使用開始の直前に被切断部４４をハサミなどで切断する。ハサミなどを使用して、被切断部４４に切り込みが入れられてもよい。被切断部４４の切断または被切断部４４への切り込みによって、回路パターン２６の切断対象領域Ｒ１が切断されるとともに、電子体温計１０４は使用可能な状態となる。電源スイッチ３７の操作によって、電子部品１８への駆動電力の供給および切断を切り替えることが可能となる。
【００７７】
電子体温計１０４の本体部５０Ａは、シート状部材５１Ａおよびケース体５２Ａから簡素に構成される。シート状部材５１Ａは、ＰＥＴ等から構成される極めて薄い部材である。シート状部材５１Ａは、その厚さが薄く且つ裁断などによって製造されるため、安価に準備されることができる。ケース体５２Ａも、ＰＥＴ等から真空成型などによって構成される極めて薄い部材であるため、安価に準備されることができる。電子体温計１０４によれば、筐体の全部が成形樹脂から構成される一般的ないわゆるペンシル型の電子体温計に比べて、製造費用を低減することができる。
【００７８】
電子体温計１０４が安価に製造されるため、電子体温計１０４は、いわゆるディスポーザブルタイプとして使用されるのに適している。ディスポーザブルタイプであれば、たとえば医療現場などにおいて、電子体温計１０４が使用される毎（若しくは所定の使用回数毎に）に廃棄される。電子体温計１０４によれば、廃棄毎に発生する使用者側または被測定者側の費用負担も軽減することが可能である。
【００７９】
電子体温計１０４においては、ケース体５２Ａにおける環状壁部５２Ｕおよび上端部５２Ｋが、ケース体５２Ａに対して電子部品１８を一方向に収容可能なように、これらが収容される側に向かって開口を形成している。当該開口に対して、電子部品１８（またはシート状部材５１Ａに取り付けられた電子部品１８）は、一方向に容易に組み付けられることができる。電子体温計１０４によれば、組み付け作業の自動化を図ることも可能となり、さらなる製造費用の低減が可能となる。電子体温計１０４の組み付けの際には、シート状部材５１Ａを重力方向の最も下側に配置し、その上に電子部品１８を接着固定し、さらに、電子部品１８に被せるようにケース体５２Ａをシート状部材５１Ａ上に載置するようにしてもよい。
【００８０】
［実施の形態２の変形例］
（第１変形例）
図１４は、上述の実施の形態２の第１変形例における電子体温計１０５のケース体５２Ｂを示す斜視図である。図１４に示すように、ケース体５２Ｂには、上述の実施の形態１（図１参照）と同様な形状を有する平板状の枠体４５が設けられる。枠体４５は、切欠４９を挟んでケース体５２Ｂを枠状に取り囲むように設けられる。
【００８１】
接続部４６および接続部４７は、ケース体５２Ｂと枠体４５との間に橋渡し状に設けられる。換言すると、ケース体５２Ｂと枠体４５とは、いわゆるゲートカット状に形成された接続部４６および接続部４７によって相互に接続される。ケース体５２Ｂ、接続部４６、接続部４７、および枠体４５は、真空シート成形によって一体的に作製されるとよい。
【００８２】
接続部４６が、上述の実施の形態２における延在部５２Ｙ（図１２参照）に対応している。電子体温計１０５における回路パターン２６（図示せず）は、上述の実施の形態１と同様に、電子部品１８（図示せず）から接続部４６の内部（表面上）を通過して枠体４５まで到達し、折り返して再び電子部品１８に戻るように略Ｕ字状に配置される。
【００８３】
電子体温計１０５においても、電子体温計１０５の購入者などが、電子体温計１０５の使用開始の直前に接続部４６および接続部４７をハサミまたはカッターなどで切断する。接続部４６の切断によって、回路パターン２６の一部が切断されるとともに、電子体温計１０６は使用可能な状態となる。
【００８４】
（第２変形例）
図１５は、上述の実施の形態２の第２変形例における電子体温計１０６を示す斜視図である。電子体温計１０６の本体部５０Ｃにおいては、シート状部材５１Ｃおよびケース体５２Ｃの双方の後端側に、略円弧状の２つの切欠５９がそれぞれ設けられる。２つの切欠５９は、線対称（左右対称）に設けられ、２つの切欠５９の間に被切断部４４が規定される。回路パターン２６は、被切断部４４の内部を通過するように配設される。２つの切欠５９の内側（電源スイッチ３７側）には、半円形状の折り曲げ部５１Ｍが形成される。
【００８５】
電子体温計１０６においては、被切断部４４にハサミまたはカッターなどによって切り込みが入れられる。回路パターン２６の一部が切断されるとともに、電源スイッチ３７の操作によって、電子部品１８（図示せず）への駆動電力の供給および切断を切り替えることが可能となる。電子体温計１０６においては、使用開始前の状態から使用開始後の状態（被切断部４４が切断された状態）に変移した場合であっても、被切断部４４は本体部５０Ｃから切り離されることはない。電子体温計１０６においては、被切断部４４を廃棄する必要がなく、利便性が高い。
【００８６】
電子体温計１０６においては、折り曲げ部５１Ｍが手指などによって折り曲げられることにより、被切断部４４が切断されてもよい。折り曲げ部５１Ｍが折り曲げられることによって、回路パターン２６のみが物理的に切断されてもよく、被切断部４４および回路パターン２６の双方が物理的に切断されてもよい。この場合も、使用開始前の状態から使用開始後の状態（被切断部４４が切断された状態）に変移した際に、被切断部４４は本体部５０Ｃから切り離されることはない。電子体温計１０６においては、被切断部４４を廃棄する必要がなく、利便性が高い。また、折り曲げ部５１Ｍには、所定の銘板が貼付または印刷されることも可能である。
【００８７】
［実施の形態３］
図１６および図１７を参照して、本実施の形態における電子機器の一例として、電子体温計１０７について説明する。図１６は、電子体温計１０７の分解された状態を示す斜視図である。図１７は、電子体温計１０７の組み立てられた状態（使用開始前の状態）を示す平面図である。
【００８８】
図１６に示すように、電子体温計１０７は、上述の実施の形態２における電子体温計１０４（図１２参照）と同様に、サーミスタ１０、制御基板２０、表示部３０、操作部３６、電源部４０、回路パターン２６、および本体部５０Ｄを備える。図１７に示すように、電子体温計１０７が組み立てられた状態においては、電子体温計１０７の一端側（先端側）にプローブ部８２が形成される。
【００８９】
図１６を再び参照して、制御基板２０、表示部３０、操作部３６、および電源部４０は、平面視矩形状の基板２９上にそれぞれ実装される。サーミスタ１０、制御基板２０、表示部３０、および基板２９によって、被測定者の体温を測定するための電子部品１８が構成される。
【００９０】
本体部５０Ｄは、それぞれ同一形状に形成された第１シート状部材５１Ｄおよび第２シート状部材５２Ｄを有する。第１シート状部材５１Ｄおよび第２シート状部材５２Ｄは、たとえば、紙またはポリエチレンフィルムなどからなる基材層と、基材層の下面側に配置されたシーラント層と、基材層の上面側に配置されたＰＥＴ層（Polyethylene Terephthalate層）とが積層されることによってそれぞれ構成される。
【００９１】
第１シート状部材５１Ｄおよび第２シート状部材５２Ｄの厚さは、それぞれたとえば０．１ｍｍ〜０．３ｍｍである。ＰＥＴ層の基材層側の面に、所定の銘板が貼付または印刷されることができる。第１シート状部材５１Ｄおよび第２シート状部材５２Ｄは、裁断などによって製造されることができる。第１シート状部材５１Ｄおよび第２シート状部材５２Ｄは、サーミスタ１０が配置される側に向かって徐々に幅が狭くなるように、平面視略Ｕ字形状に構成される。
【００９２】
第１シート状部材５１Ｄの後端および第２シート状部材５２Ｄの後端が相互に接合されることによって、被切断部４４（図１７参照）が形成される。第１シート状部材５１Ｄは、透明性を有する部材から構成されるとよい。第１シート状部材５１Ｄが透明性を有する部材から構成されない場合、第１シート状部材５１Ｄの一部は、表示部３０の表示パネル３１を外部から視認可能なように、透明性を有する保護部材が設けられるとよい。
【００９３】
回路パターン２６は、制御基板２０から被切断部４４の内部を通過し、折り返して再び制御基板２０に戻るように略Ｕ字状に配置される。回路パターン２６の一部には、切断対象領域Ｒ１が規定される。切断対象領域Ｒ１における回路パターン２６は、被切断部４４（図１７参照）がハサミなどで切断されることによって、制御基板２０側に接続された回路パターン２６とは分離される。
【００９４】
電子体温計１０７が組み立てられる際には、電子部品１８等が第２シート状部材５２Ｄ上に配置される。その状態で、第１シート状部材５１Ｄの周縁と第２シート状部材５２Ｄの周縁とが相互に接合される。当該接合によって、第１シート状部材５１Ｄおよび第２シート状部材５２Ｄの外縁に環状の接合領域５４が形成され、電子部品１８等が略気密状に封止された中空空間５３（図１７参照）が形成される。押しボタン３８に対応する第１シート状部材５１Ｄ上の部分に、電源スイッチ３７（図１７参照）が規定される。
【００９５】
第１シート状部材５１Ｄと第２シート状部材５２Ｄとを相互に接合するためには、第１シート状部材５１Ｄの周縁と第２シート状部材５２Ｄの周縁とが一致するように対向配置される。この状態で、第１シート状部材５１Ｄおよび第２シート状部材５２Ｄの接触部（接合領域５４に対応する部分）に超音波が付与される。付与された超音波により、第１シート状部材５１Ｄおよび第２シート状部材５２Ｄの周縁（シーラント層など）が一時的に溶解する。当該溶解によって、第１シート状部材５１Ｄおよび第２シート状部材５２Ｄの周縁同士が、接合領域５４において溶着（圧着）される。
【００９６】
上述の実施の形態１における電子体温計１００と同様に、電子体温計１０７は、使用開始前の状態においては、被切断部４４が切断されていない。電子体温計１０７の電源スイッチ３７が操作されたとしても、制御部２２による制御によって、駆動電力は電源部４０から電子部品１８に供給されない（実際には瞬間的に供給されるが、制御部２２の制御によって電子体温計１０７はすぐさま停止する）。電子体温計１０７は起動せず、使用可能な状態とはならない。
【００９７】
図１８を参照して、被切断部４４がハサミまたはカッターなどによって切断されたとする。被切断部４４は本体部５０Ｄから切り離される。被切断部４４の切断に伴って、回路パターン２６から切断対象領域Ｒ１が切り離され、電子体温計１０７は使用開始前の状態から使用開始後の状態に変移する。
【００９８】
電子体温計１０７の使用開始後の状態において、被測定者等が電源スイッチ３７を入れたとする（電源ＯＮ）。上述の実施の形態１における電子体温計１００と同様に、制御部２２は、電子体温計１０７を停止させることなく、電子体温計１０７としての通常の動作を開始する。
【００９９】
（作用・効果）
上述の実施の形態１における電子体温計１００と同様に、電子体温計１０７は、工場等から出荷されてから使用者によって使用が開始されるまでの間、さまざまな振動または衝撃を受ける。
【０１００】
図１９に示すように、薄型に構成される電子体温計１０７は、電子体温計１０７同士が相互に密接した状態で収容箱２００などに詰め込まれて搬送される場合がある。この場合、収容箱２００内において、電子体温計１０７の電源スイッチ３７は、隣合う電子体温計１０７によって意に反して押圧されることがある。
【０１０１】
電子体温計１０７の電源スイッチ３７が意に反して押圧された場合であっても、電子体温計１０７の使用開始前の状態においては、電子体温計１０７は起動しない。電子体温計１０７によれば、電源部４０（ボタン電池４２など）における蓄電エネルギーの消耗を抑制することが可能となる。
【０１０２】
また、電子体温計１０７の販売店などにおいては、電子体温計１０７が、訪問客が手にとったり触れたりすることが可能な状態で陳列される場合もある。電子体温計１０７の電源スイッチ３７が操作され意に反して電源が投入された場合であっても、電子体温計１０７の使用開始前の状態においては、電子体温計１０７は起動しない。電子体温計１０７によれば、電源部４０（ボタン電池４２など）における蓄電エネルギーの消耗を抑制することが可能となる。
【０１０３】
電子体温計１０７においては、電子体温計１０７の購入者などが、電子体温計１０７の使用開始の直前に被切断部４４をハサミなどで切断する。ハサミなどを使用して、被切断部４４に切り込みが入れられてもよい。被切断部４４の切断または被切断部４４への切り込みによって、回路パターン２６の切断対象領域Ｒ１が切断されるとともに、電子体温計１０７は使用可能な状態となる。電源スイッチ３７の操作によって、電子部品１８への駆動電力の供給および切断を切り替えることが可能となる。
【０１０４】
電子体温計１０７の本体部５０Ｄは、各シート状部材５１Ｄ，５２Ｄから簡素に構成される。各シート状部材５１Ｄ，５２Ｄは、ＰＥＴ等から構成される極めて薄い部材である。各シート状部材５１Ｄ，５２Ｄは、その厚さが薄く且つ裁断などによって製造されるため、安価に準備されることができる。電子体温計１０７によれば、筐体の全部が成形樹脂から構成される一般的ないわゆるペンシル型の電子体温計に比べて、製造費用を低減することができる。
【０１０５】
電子体温計１０７が安価に製造されるため、電子体温計１０７は、いわゆるディスポーザブルタイプとして使用されるのに適している。ディスポーザブルタイプであれば、たとえば医療現場などにおいて、電子体温計１０７が使用される毎（若しくは所定の使用回数毎に）に廃棄される。電子体温計１０７によれば、廃棄毎に発生する使用者側または被測定者側の費用負担も軽減することが可能である。
【０１０６】
電子体温計１０７においては、第２シート状部材５２Ｄに対して電子部品１８等が一方向（図１６中の矢印参照）に配置可能となっている。電子部品１８等は、第２シート状部材５２Ｄに対して一方向に容易に組み付けられることができる。電子体温計１０７によれば、組み付け作業の自動化を図ることも可能となり、さらなる製造費用の低減が可能となる。
【０１０７】
［実施の形態３の変形例］
（第１変形例）
図２０は、上述の実施の形態３の第１変形例における電子体温計１０８（使用開始前の状態）を示す平面図である。第１シート状部材５１Ｄおよび／または第２シート状部材５２Ｄには、上述の実施の形態１（図１参照）と同様な形状を有する平板状の枠体４５が設けられる。枠体４５は、切欠４９を挟んで本体部５０Ｄを枠状に取り囲むように設けられる。
【０１０８】
接続部４６および接続部４７は、本体部５０Ｄと枠体４５との間に橋渡し状に設けられる。換言すると、本体部５０Ｄと枠体４５とは、いわゆるゲートカット状に形成された接続部４６および接続部４７によって相互に接続される。本体部５０Ｄ（第１シート状部材５１Ｄまたは第２シート状部材５２Ｄ）、接続部４６、接続部４７、および枠体４５は、真空シート成形によって一体的に作製されるとよい。
【０１０９】
電子体温計１０８における回路パターン２６は、上述の実施の形態１と同様に、電子部品１８から接続部４６の内部（表面上）を通過して枠体４５まで到達し、折り返して再び電子部品１８に戻るように略Ｕ字状に配置される。
【０１１０】
電子体温計１０８においても、電子体温計１０８の購入者などが、電子体温計１０８の使用開始の直前に接続部４６および接続部４７をハサミまたはカッターなどで切断する。接続部４６の切断によって、回路パターン２６の一部が切断されるとともに、電子体温計１０８は使用可能な状態となる。
【０１１１】
（第２変形例）
図２１は、上述の実施の形態３の第２変形例における電子体温計１０９を示す斜視図である。電子体温計１０９の本体部５０Ｄにおいては、第１シート状部材５１Ｄおよび第２シート状部材５２Ｄの双方の後端側に、略Ｌ字状の２つの切欠５９がそれぞれ設けられる。２つの切欠５９は、線対称（左右対称）に設けられ、２つの切欠５９の間に被切断部４４が規定される。回路パターン２６は、被切断部４４の内部を通過するように配設される。２つの切欠５９の内側（電源スイッチ３７側）には、略矩形状の折り曲げ部５１Ｍが形成される。
【０１１２】
電子体温計１０９においては、被切断部４４にハサミまたはカッターなどによって切り込みが入れられる。回路パターン２６の一部が切断されるとともに、電源スイッチ３７の操作によって、電子部品１８への駆動電力の供給および切断を切り替えることが可能となる。電子体温計１０９においては、使用開始前の状態から使用開始後の状態（被切断部４４が切断された状態）に変移した場合であっても、被切断部４４は本体部５０Ｄから切り離されることはない。電子体温計１０９においては、被切断部４４を廃棄する必要がなく、利便性が高い。
【０１１３】
電子体温計１０９においては、折り曲げ部５１Ｍが手指などによって折り曲げられることにより、被切断部４４が切断されてもよい。折り曲げ部５１Ｍが折り曲げられることによって、回路パターン２６のみが物理的に切断されてもよく、被切断部４４および回路パターン２６の双方が物理的に切断されてもよい。この場合も、使用開始前の状態から使用開始後の状態（被切断部４４が切断された状態）に変移した際に、被切断部４４は本体部５０Ｄから切り離されることはない。電子体温計１０９においては、被切断部４４を廃棄する必要がなく、利便性が高い。また、折り曲げ部５１Ｍには、所定の銘板が貼付または印刷されることも可能である。
【０１１４】
以上、本発明に基づいた各実施の形態について説明したが、今回開示された各実施の形態はすべての点で例示であって制限的なものではない。上述の各実施の形態においては、電子機器の一例として、電子体温計に基づいて説明した。本発明は、電子機器の他の例として、たとえばお祭りなどで使用される複雑な発光パターンを実現可能なペン型ライトなどにも使用されることが可能である。本発明は、歩数計、玩具、または電卓など、電源を内蔵した状態で搬送または販売などされる多種の電子機器に使用されることが可能である。したがって、本発明の技術的範囲は特許請求の範囲によって示され、特許請求の範囲と均等の意味および範囲内でのすべての変更が含まれることが意図される。
【符号の説明】
【０１１５】
１０  サーミスタ、１１  感温部、１２  リード線、１８  電子部品、２０  制御基板、２２  制御部、２３  メモリ部、２４  報知部、２６  回路パターン、２７  プルアップ抵抗、２９  基板、３０  表示部、３１  表示パネル、３６  操作部、３７  電源スイッチ、３８  押しボタン、４０  電源部、４１  電極端子、４２  ボタン電池、４３  樹脂、４４  被切断部、４５  枠体、４６，４７  接続部、４６Ｒ，５２Ｔ  凹部、４６Ｔ  切断端面、４８  吊下用開口部、４９，４９Ｒ，５９  切欠、５０，５０Ａ，５０Ｃ，５０Ｄ  本体部、５０Ｒ  リブ、５０ＲＴ  外縁、５０Ｓ  橋渡し部、５１  表面側部材、５１Ａ，５１Ｃ  シート状部材、５１Ｄ  第１シート状部材、５１Ｈ  開口部、５１Ｍ  折り曲げ部、５１Ｙ，５２Ｙ  延在部、５２  裏面側部材、５２Ａ，５２Ｂ，５２Ｃ  ケース体、５２Ｄ  第２シート状部材、５２Ｋ  上端部、５２Ｒ，５２Ｓ  底面部、５２Ｕ  環状壁部、５２Ｗ  長溝、５３  中空空間、５４  接合領域、５６  透明保護部材、８２  プローブ部、１００〜１０９  電子体温計（電子機器）、２００  収容箱、ＰＡ，ＰＢ  ポート、Ｒ１  切断対象領域。
【図１】
2012163355.tif 000003
【図２】
2012163355.tif 000004
【図３】
2012163355.tif 000005
【図４】
2012163355.tif 000006
【図５】
2012163355.tif 000007
【図６】
2012163355.tif 000008
【図７】
2012163355.tif 000009
【図８】
2012163355.tif 000010
【図９】
2012163355.tif 000011
【図１０】
2012163355.tif 000012
【図１１】
2012163355.tif 000013
【図１２】
2012163355.tif 000014
【図１３】
2012163355.tif 000015
【図１４】
2012163355.tif 000016
【図１５】
2012163355.tif 000017
【図１６】
2012163355.tif 000018
【図１７】
2012163355.tif 000019
【図１８】
2012163355.tif 000020
【図１９】
2012163355.tif 000021
【図２０】
2012163355.tif 000022
【図２１】
2012163355.tif 000023